(57)【要約】【課題】弦をチョーキングしたときの干渉の可能性を低減し、且つ、アールが付された指板の快適さを提供する、指板の設計を提供すること。【解決手段】弦楽器は、ボディと、長尺のネックと、ヘッドストックとを備え、ネックが、表板側に、その長さに沿って垂直に配置されると共に指板の第１の側部から第２の側部に延在する互いに離間されたフレットをもつ指板を有する。フレットの上面は、第１及び第２の凸状アールが付けられた表面を有するフレット平面を形成し、第１の表面は、その平面の上側縁からその中心に向かって延在し、第２の表面は、その平面の下側縁からその中心に向かって延在している。一実施例において、第１の表面は、より小さいアールを形成し、第２の表面は、より大きいアールを形成している。【選択図】図１０
2019028470.tif 000002
【特許請求の範囲】
【請求項１】
ボディと、
長尺のネックと、
ヘッドストックとを備え、
前記ネックが、指板を備え、前記指板が、その長さに沿って垂直に配置されると共に前記指板の第１の側部から第２の側部に延在する、離間して固定されたフレットを有し、前記フレットの上面が、フレット平面を形成し、前記フレット平面が、第１及び第２の凸状アールが付けられた表面を有し、前記第１の表面が、前記平面の上側縁からその中心に向かって延在し、前記第２の表面が、前記平面の下側縁からその中心に向かって延在し、
前記第１の表面が、より小さいアールを形成し、前記第２の表面が、より大きいアールを形成している、弦楽器。
【請求項２】
前記指板の表面が、対応する第１及び第２の表面を有する、請求項１に記載の弦楽器。
【請求項３】
前記指板の長さに沿って並んで配置されると共に弦平面を形成する複数の弦を備え、前記弦平面が、対応する第１及び第２の表面を備える、請求項２に記載の弦楽器。
【請求項４】
前記弦が、フレット間において押下されるように構成・配置された、請求項３に記載の弦楽器。
【請求項５】
前記弦が、第１の端部においてナットにより、第２の端部においてサドルにより持ち上げられ、フレットに当てられていない位置において、前記弦の高さが、前記ナットと前記サドルとの間で増加する、請求項４に記載の弦楽器。
【請求項６】
６本の弦を備え、少なくとも最も直径の小さい弦が、前記フレットボードの中心線側に変位可能である、請求項５に記載の弦楽器。
【請求項７】
ギターである、請求項６に記載の弦楽器。
【請求項８】
アコースティックギターである、請求項７に記載の弦楽器。
【請求項９】
前記ギターの表板が、音響ボードとして機能する、請求項８に記載の弦楽器。
【請求項１０】
エレキギターである、請求項７に記載の弦楽器。
【請求項１１】
前記第１のより小さい凸状アールが、約２５．４センチメートルのアールであり、前記第２のより大きい凸状アールが、約３８．１センチメートルのアールである、請求項１に記載の弦楽器。
【請求項１２】
長尺の指板と、
それぞれが前記指板に沿って垂直に配置された複数のフレットと、
前記指板の長さに沿って掛け渡された、互いに離間した３本のより大きな直径の弦及び３本のより小さな直径の弦であって、第１の端部においてナットにより第１の高さに持ち上げられ、第２の端部においてサドルにより第２のより大きな高さに持ち上げられた、弦とを備え、
前記フレットの上側表面が、前記指板の長さに沿ってフレット平面を形成し、前記フレット平面が、前記より大きい弦の下方の第１のより小さな凸状アールと、前記より小さい弦の下方の第２のより大きな凸状アールとに分割されていることによって、より小さい弦が、前記指板の中心線側に変位される際、より大きい弦が前記中心線側に変位されるよりも小さい垂直距離／水平距離比を有する、ギター。
【請求項１３】
前記第１のより小さな凸状アールの大きさが、前記第２のより大きな凸状アールの大きさの約２／３である、請求項１２に記載のギター。
【請求項１４】
前記第１のより小さな凸状アールが、約２５．４センチメートルのアールであり、前記第２のより大きな凸状アールが、約３８．１センチメートルのアールである、請求項１２に記載のギター。
【発明の詳細な説明】
【技術分野】
【０００１】
本発明の実施例は、概して、弦楽器に関する。より詳細には、本発明は、フレット弦楽器用の指板に関する。
【背景技術】
【０００２】
多くの弦楽器は、指板（フレット楽器のフレットボードとしても知られる）を利用している。指板は、楽器のネックの前部に貼り付けられる細長い一片の材料、通常は木材である。弦が、一端にあるナットと他端にあるブリッジとの間の指板上に渡される。ギター等の一部の弦楽器は、ボードの長手軸線に対して垂直に配置されたフレットを有する指板を利用している。フレットは、弦に対して垂直な、隆起された一片の硬質材料であり、奏者は、弦をそのフレットに押し当てて、弦を押さえる（基本的には短くする（ｓｈｏｒｔｅｎ））。現代のギターフレットは、一般に金属で作られている。フレットによって、奏者は、弦を一貫して同じ位置に押さえることができ、これにより、演奏者は、正確なイントネーションで音を演奏することができる。時おり、奏者は、弦の張力を増加させてピッチを上げるために、フレットに当てられた弦を「チョーキング（ベンド）」して、それらを指板の中心方向へ変位させる。ほとんどの指板は、弾きやすさを与えられるように、単一のアール（Ｒａｄｉｕｓ）をもつ。このアールのおかげで、弦をチョーキングすることで、弦がブリッジにおいて持ち上げられている（ｓｕｓｐｅｎｄｅｄ）点に対して、指板上のその高さを増加させることができる。この高さの増加によって、フレットに当てられた弦と、隣接するフレットとの間のクリアランスを減少させて、そのフレットに当てられた弦が「鳴る」のを防ぐことができる。
【発明の概要】
【発明が解決しようとする課題】
【０００３】
弦をチョーキングしたときの干渉の可能性を低減し、且つ、アールが付された指板の快適さを提供する、指板の設計が求められている。
【課題を解決するための手段】
【０００４】
本発明は、概して、ボディと、長尺のネックと、ヘッドストックとを備え、ネックが、表板側に、その長さに沿って垂直に配置されると共に指板の第１の側部から第２の側部に延在する互いに離間されたフレットをもつ指板を有する、弦楽器を備える。フレットの上面は、第１及び第２の凸状アールが付けられた表面を有するフレット平面を形成し、第１の表面は、その平面の上側縁からその中心に向かって延在し、第２の表面は、その平面の下側縁からその中心に向かって延在している。一実施例において、第１の表面は、より小さいアールを形成し、第２の表面は、より大きいアールを形成している。
【０００５】
本発明の上述の特徴を詳細に理解できるように、これまで簡潔に要約した本発明のより具体的な説明を、幾つかを添付の図面において例示する実施例を参照することにより行う。しかしながら、添付の図面が本発明の典型的な実施例のみを例示しており、従って、その範囲を限定するものとはみなされず、本発明が他の同様に有効な実施例も許容しうることには注意されたい。
【図面の簡単な説明】
【０００６】
【図１】奏者に抱えられたアコースティックギターの例示である。
【図２】指板の拡大図で、特に指板の中心側へ変位された弦を示す、図１のアコースティックギターの例示である。
【図３】ギターの弦と、指板及びフレット平面との間の角度を示す部分的に断面の側面図である。
【図４】ギターネックの長手軸線に対して平行な線に沿う部分断面図であり、ニュートラルな位置において押下された（フレットに当てられた）弦及び隣接するフレットに対するそのクリアランスを示す。
【図５】ギターネックの長手軸線に対して垂直な線に沿う部分断面図であり、ギターの指板のアールが付けられた表面及び対応してアールが付けられたフレット平面及び弦平面を示す。
【図６】図５のギターの部分断面図であり、ニュートラルな位置、フレットに当てられた位置、及び変位された位置におけるギターの小さい弦を示す。
【図７】図６のギターの部分断面図であり、フレットに当てられた弦がギターの指板に沿って変位されたときの、クリアランスの欠如を例示する。
【図８】図５と同様の部分断面図であるが、より小さい弦の領域における指板、フレット平面及び弦平面の拡大されたアールＲ２を含む。
【図９】図６と同様の部分断面図であるが、指板の拡大したアールが付けられた部分Ｒ２に沿う、フレットに当てられていない位置、フレットに当てられた位置、及び変位された位置における、ギターの小さい弦を示す。
【図１０】図７に対応し、拡大されたアールＲ２を利用したときの、変位された弦と隣接するフレットとの間に維持されたクリアランスを例示する。
【発明を実施するための形態】
【０００７】
本発明は、フレット弦楽器に関する。より具体的には、本発明は、指板がその幅に亘って延在する２つの独立したアールを有するギター用指板に関する。
【０００８】
図１は、奏者に抱えられたギター１００の例示である。図１の実施例において、このギターは、ギターの表板が音響ボードとして機能するアコースティックギターであるが、本発明の要素は、エレキギターや、フレットが固定された任意の他の弦楽器に適用した際にも同様に有用である。このギターは、ボディ１１０と、ネック１２０と、ヘッドストック１３０とを備える。弦は、それらがキー１４０で好適な張力に締められるヘッドストックから、各弦に対して１つずつ設けられるブリッジピン１５５でそれらが留められるブリッジ１５０まで延在している。ナット１６０が、ヘッドストックに隣接する指板１６５の端部に設置されて、弦の間隔、指板の縁部からの距離及び指板１６５上の第１フレット１７０の上方の弦高を制御している。弦は、それらの長さに亘って若干広がり、ブリッジ１５０に収容されたサドル１７５を越えて延在している。つま弾くと振動して音を作り出す弦の部分は、ナット１６０とサドル１７５との間に延在している部分である。弦は、それらがフレットの後方で押下されると、押さえつけられる、又は、効果的に短くなる。図１の例示において、最も小さい弦２００が、奏者の指１８０によって押下され、加えて、ブリッジ１５０により近い位置においてフレットに当てる必要なく音のピッチを上げられるように、指板１６５の反対側に向けて「チョーキング」又は変位（矢印１８５）されている。
【０００９】
図２は、指板１６５の拡大図で、特に、フレットに当てられて２つのフレット２０１、２０２間において指板に沿って距離「Ｄ」だけ変位された小さい弦２００を示す、図１のアコースティックギター１００の例示である。弦の元の又はニュートラルな位置が、点線２００ｎによって示されている。典型的に、弦が変位される前に、弦は２つのフレット間の特定の位置においてフレットに当てられ、つま弾かれ、そして指板に亘って引き伸ばされて、ピッチの上昇を作り出し、異なるより高い音を作り出す。従って、変位された弦がフレットに当てられたものでもあることは理解されよう。
【００１０】
図３は、部分的に断面の側面図であり、ニュートラルなフレットに当てられていない位置におけるギターの弦と指板１６５との間の角度を示す。１本の弦２００のみ見えているが、他の弦（典型的に合計で６本）も同じように同じ角度２１０で持ち上げられている。他端では、弦は、サドル１７５によって高い位置で持ち上げられている。この高さの違いによって、弦がヘッドストック（不図示）からサドル１７５まで延在するにつれて角度２１０が増加する。角度２１０によって、ある位置において弦がフレットに当てられる際に、隣接する（ブリッジの方向の）フレットがフレットに当てられた弦の振動に干渉しないことが確実となる。図４は、角度２１０及びそれにより与えられるクリアランスの重要性を例示している。図４は、押下された（フレットに当てられた）弦２００と、隣接するフレットに対するそのクリアランスとを示す、ギターネックの長手軸線に対して平行な線に沿う部分断面図である。図示のように、弦は、２つのフレット２０１、２０２間においてフレットに当てられている。弦２００がフレット２０２の後方で押下されているにもかかわらず、角度２１１は、弦と隣接するフレット２０３との間において保たれて、クリアランスＤ１が得られる。
【００１１】
フレットに当てられていない弦の指板１６５の上方における増加した角度２１０に加えて、指板自体にもアールが設けられて、一度に複数の弦をフレットに当てるのを容易にする。図５は、ギターネックの長手軸線に対して垂直な線に沿う部分断面図であり、フレット平面３００（フレットの表板縁部に亘る線）のアールＲ１が付けられた表面と、対応してアールが付けられた指板１６５と、ニュートラルなフレットに当てられていない位置にある弦により形成される弦平面３１０とを示す。図示の先行技術の実施例では、アールＲ１は、指板１６５の中心に頂点を有する単一で左右対称の凸状アールである。フレット平面上方の弦の均一の距離を、「Ｌ」で示す。
【００１２】
図６は、図５のギターの部分断面図であり、ニュートラルな位置２１５、フレットに当てられた位置２２０、及び変位された位置２２５におけるギターの小さい弦２００を示す。変位された位置２２５において、弦２００は、アールＲ１が付けられた指板１６５の頂点側にシフトしており、従って、ニュートラルな位置２２０においてフレットに当てられるときよりも高い位置にある。その結果、弦が隣接するフレットと干渉するのを典型的に防止する弦角度２１１が失われる。この結果を図７に示す。図７は、図４と同様の部分断面図であるが、弦がギターのアールＲ１が付けられた指板１６５（位置２２５、図６）に沿って変位されたときの、弦と隣接するフレット２０３との間のクリアランスＤ２の欠如を例示する。
【００１３】
図８は、図５と同様の部分断面図であるが、より小さい弦の領域において指板１６５上に形成されフレット平面３００及び弦平面３１０に反映された拡大したアールＲ２を含む。指板及びフレット平面の両方の元のアールＲ１を、点線３１１、３１２で示す。より大きいアールＲ２が効果的に、中心線へ向かう指板の傾斜をより漸進的にする。より大きいアールＲ２が（ギター奏者によって変位される傾向の高い）より小さい弦の下方に形成される一方で、より大きい弦の下方の指板の領域は、その元のより小さいアールＲ１を維持して、一度に複数の弦をフレットに当てるのが容易であることを確実にしている。
【００１４】
図９は、図８の部分断面図であるが、そのニュートラルな位置２１６、フレットに当てられた位置２２１、及び変位された位置２２６における小さい弦の位置を例示する。Ｌ１は、小さい弦のニュートラルな位置２１６とフレットに当てられた位置２１１との間における高さの差である。Ｌ３は、小さい弦２００のニュートラルな位置と変位された位置２２６との間の高さの差である。図９には、より大きいアールＲ２により作り出される指板１６５と弦平面３１０との間の角度３１５も例示する。Ｒ１及びＲ２を比較することにより理解できるように、より大きいアールによって、弦が変位されるにつれて、より漸進的な傾斜及び漸進的な高さの増加が生じ、これにより、弦が変位位置に付勢される際の、隣接するフレットとの干渉の可能性が低減される。
【００１５】
図１０は、図７と同様の部分断面図であるが、拡大されたアールＲ２を有する指板上の変位された位置における小さい弦２００を示す。図７と図１０との比較から、先行技術の単一のアールＲ１をもつ指板とは異なり、小さい弦の領域においてより大きいアールＲ２を有する指板によって、変位された弦と隣接するフレット２０３との間のクリアランスＤ４を確保するのに十分な角度３２０を維持しつつ、弦を変位させるのが可能となることが分かる。
【００１６】
一実施例において、ギター用指板１６５は、図８及び９に示すように、より大きい弦の領域に第１のより小さいアールＲ１と、より小さい弦の領域により大きいアールＲ２とを有する。フレット平面及び弦平面が同一のプロファイルを有するため、弦がそのニュートラルなフレットに当てられていない位置にあるときに、各弦とその弦の下方のフレット平面との間のクリアランスは同一である。このギターを演奏する際には、指板全体に亘ってアールが付けられていることで、一度に幾つかの弦をフレットに当てたりバレーしたりするのが容易になる。しかしながら、より小さい弦２００をフレットに当てた後に変位させる際には、より大きいアールＲ２のより漸進的な傾斜によって、隣接するフレットが弦と干渉するフレット平面の高さに弦が達する傾向が低減される。２つの凸形状の差は、垂直距離（ｒｉｓｅ）／水平距離（ｒｕｎ）でも表すことができる。より小さい弦の領域にあるより大きいアールＲ２は、より大きい弦の領域において元のアールＲ１をもつフレット平面の他方側よりも垂直距離／水平距離比が小さい。
【００１７】
指板の曲率の大きさは、所定の測定による半径を有する円の一部である断面形状を示すアールとして一般に表現される。ギター用指板は、インチで測定され、６インチ（１５．２４センチメートル）の曲率極値を有するものから３０インチ（７６．２センチメートル）のより平坦な曲率極値までの範囲で見られる。一般的なアールの測定値は、９．５インチ（２４．１３センチメートル）〜１５インチ（３８．１センチメートル）である。本発明の好適な実施例は、より大きい弦の下方に１０インチ（２５．４センチメートル）の値をもつアールと、より小さい弦の下方により平坦な１５インチ（３８．１センチメートル）のアールを使用するが、より大きい弦の下方の指板の部分がより小さい弦の下の部分よりも湾曲してさえいれば、２種類のアールの任意の組み合わせを効果的に使用しうる。更に、指板の曲率は、円形状断面の正確且つ真の弧である必要はない。他の実施例において、より大きい弦の下の部分がより小さい弦の下のよりも大きく湾曲してさえいれば、非対称のスプライン（ｓｐｌｉｎｅ）断面で構成されてもよい。
【００１８】
以上の説明は本発明の実施例を対象にしているが、本発明の他の更なる実施例を、その基本範囲から逸脱することなく考案でき、その範囲は、以下の特許請求の範囲によって規定される。
【図１】
2019028470.tif 000003
【図２】
2019028470.tif 000004
【図３】
2019028470.tif 000005
【図４】
2019028470.tif 000006
【図５】
2019028470.tif 000007
【図６】
2019028470.tif 000008
【図７】
2019028470.tif 000009
【図８】
2019028470.tif 000010
【図９】
2019028470.tif 000011
【図１０】
2019028470.tif 000012
【外国語明細書】
2019028470000001.pdf